(57)【要約】      （修正有）【課題】折りたたみ可能な携帯型糞取り器を提供する。【解決手段】上側ハウジング１０及び下側ハウジング２０から構成され、上下側ハウジング１０、２０が回転軸３０及びスプリング４０を介してクリップ状となる折りたたみ可能な携帯型糞取り器である。上側ハウジング１０はその一端に設置される上側ハンドル１１及び上側ハウジング本体１２から構成され、上側ハウジング本体１２にごみ袋溝１３が設置され、ごみ袋溝１３が下へ凹む溝体であり、溝体頂部に開閉可能なカバー１４が設置され、カバー１４にごみ袋出口１５を開設する。下側ハウジング２０はその一端に設置される下側ハンドル２１及び下側ハウジング本体２２から構成され、下側ハウジング本体２２が硬質フレームリング２３、軟質折りたたみ可能な収納溝２５及びごみ袋軟性固定クリップ２４を含み、収納溝２５の開口エッジが硬質フレームリング２３に接続され、ごみ袋軟性固定クリップ２４が下側ハンドル２１に設置される。【選択図】図１
0003205354.tif 000002
【実用新案登録請求の範囲】
【請求項１】
上側ハウジング及び下側ハウジングから構成され、上下側ハウジングが回転軸及びスプリングを介してクリップ状となる折りたたみ可能な携帯型糞取り器であって、
前記上側ハウジングはその一端に設置される上側ハンドル及び上側ハウジング本体から構成され、上側ハウジング本体にごみ袋溝が設置され、前記ごみ袋溝が下へ凹む溝体であり、溝体頂部に開閉可能なカバーが設置され、カバーにごみ袋出口を開設し、
前記下側ハウジングはその一端に設置される下側ハンドル及び下側ハウジング本体から構成され、前記下側ハウジング本体が硬質フレームリング、軟質折りたたみ可能な収納溝及びごみ袋軟性固定クリップを含み、前記収納溝の開口エッジが前記硬質フレームリングに接続され、前記ごみ袋軟性固定クリップが下側ハンドルに設置され、
前記上側ハンドルと下側ハンドルとは、前記糞取り器のハンドルとして、対称的に前記回転軸の同一側に設置され、前記上側ハウジング本体及び下側ハウジング本体が前記回転軸の他側に位置し、前記上下側ハンドルを互いに押すまたは離すことにより、前記上側ハウジング本体と下側ハウジング本体とを互いに開閉させることを特徴とする折りたたみ可能な携帯型糞取り器。
【請求項２】
前記カバーの一端が回転軸を介して前記上側ハウジング本体に接続され、他端に前記カバーを開閉させる弾性ボタンが設置されることを特徴とする請求項１に記載の折りたたみ可能な携帯型糞取り器。
【請求項３】
前記カバーにはさらに、カバーを閉じた後、溝体内に入れたごみ袋の端部がカバーから突出するように、歯を有する細長口が設置されることを特徴とする請求項１に記載の折りたたみ可能な携帯型糞取り器。
【請求項４】
前記上側ハンドルにさらに携帯用孔を開設することを特徴とする請求項１に記載の折りたたみ可能な携帯型糞取り器。
【請求項５】
前記硬質フレームリングが前記下側ハウジング本体のエッジ・フレームであることを特徴とする請求項１に記載の折りたたみ可能な携帯型糞取り器。
【請求項６】
前記収納溝底部に小ハンドルが設置されることを特徴とする請求項１に記載の折りたたみ可能な携帯型糞取り器。
【請求項７】
前記小ハンドルが半円形であることを特徴とする請求項６に記載の折りたたみ可能な携帯型糞取り器。
【考案の詳細な説明】
【技術分野】
【０００１】
本考案はペット用品分野に関し、特に、折りたたみ可能な携帯型糞取り器に関する。
【背景技術】
【０００２】
生活水準が高まるようになるにつれて、ますます多くの人はペットを飼うようになり、暇な時に、ペットを連れて外へ散歩することが多いが、外でペットが排便する可能性があり、排出した糞便が環境に影響を与えるだけでなく、都市の美観に影響を与え、そのうえ、寄生虫の伝播により人の身体の健康に影響を与える。従って、本考案の目的は、ペットの糞便の処理問題を解決するために、折りたたみ可能な携帯型糞取り器を提供することにある。
【考案の概要】
【０００３】
本考案の目的は以下の技術方案により実現される。
【０００４】
上側ハウジング及び下側ハウジングから構成され、上下側ハウジングが回転軸及びスプリングを介してクリップ状となる折りたたみ可能な携帯型糞取り器であって、
前記上側ハウジングはその一端に設置される上側ハンドル及び上側ハウジング本体から構成され、上側ハウジング本体にごみ袋溝が設置され、前記ごみ袋溝が下へ凹む溝体であり、溝体頂部に開閉可能なカバーが設置され、カバーにごみ袋出口を開設し、
前記下側ハウジングはその一端に設置される下側ハンドル及び下側ハウジング本体から構成され、前記下側ハウジング本体が硬質フレームリング、軟質折りたたみ可能な収納溝及びごみ袋軟性固定クリップを含み、前記収納溝の開口エッジが前記硬質フレームリングに接続され、前記ごみ袋軟性固定クリップが下側ハンドルに設置され、
前記上側ハンドルと下側ハンドルとは、前記糞取り器のハンドルとして、対称的に前記回転軸の同一側に設置され、前記上側ハウジング本体及び下側ハウジング本体が前記回転軸の他側に位置し、前記上下側ハンドルを互いに押すまたは離すことにより、前記上側ハウジング本体と下側ハウジング本体とを互いに開閉させる折りたたみ可能な携帯型糞取り器。
【０００５】
好ましくは、前記カバーの一端が回転軸を介して前記上側ハウジング本体に接続され、他端に前記カバーを開閉させる弾性ボタンが設置される。
【０００６】
好ましくは、前記カバーにはさらに、カバーを閉じた後、溝体内に入れたごみ袋の端部がカバーから伸びるための、歯を有する細長口が設置される。
【０００７】
好ましくは、前記硬質フレームリング自身が前記下側ハウジング本体のエッジ・フレームを構成する。
【０００８】
好ましくは、前記上側ハンドルにさらに携帯用孔を開設し、外出時に手による携帯に便利である。
【０００９】
好ましくは、前記収納溝底部に半円ハンドルが設置され、折りたたむ時や開く時に押し引きに便利である。
【考案の効果】
【００１０】
従来の技術に比べると、本考案のメリットは以下のとおりである。
【００１１】
本考案の糞取り器は、使用が便利であり、構造が簡単であり、クリップ状となり、折りたたむことができ、包装体積を効果的に低減させ、使用が安全であり、携帯に便利であり、アウトドア使用に適し、上下側ハウジングが密封し、糞便の漏れを効果的に防止できる。かつ、本考案の糞取り器はゴミ収納溝として用いられてもよく、不都合の場合に、ウンコやゴミ等をその内に収納でき、都合が良くなったらゴミ箱に捨てればよい。
【図面の簡単な説明】
【００１２】
【図１】本考案の実施例の分解図である。
【図２】本考案の実施例の開状態を示す図である。
【図３】本考案の実施例の閉状態を示す図である。
【図４】本考案の実施例の底部構造を示す図である。
【考案を実施するための形態】
【００１３】
当業者にとって、本考案の構想から脱逸しない限り、様々な変形や改善を施してもよく、これらの変形や改善はいずれも本考案の保護範囲に含まれるものであると指摘する。このため、本考案の保護範囲は実用新案登録請求の範囲を基準とするものである。
【００１４】
本実施例が提供する折りたたみ可能な携帯型糞取り器は、上側ハウジング１０及び下側ハウジング２０という２部分から構成され、上側ハウジング１０及び下側ハウジング２０は回転軸３０及びスプリング４０を介して組み立てられ、クリップ状となり、ハンドルを押圧すると開き、手を離すと、スプリング４０の弾力により自動的に閉じる。
【００１５】
上側ハウジング１０はその一端に設置される上側ハンドル１１及び上側ハウジング本体１２から構成され、上側ハウジング本体１２において上側ハンドル１１に近接する位置にごみ袋溝１３が設置され、前記ごみ袋溝１３は下へ凹む柱状溝体であり、ごみ袋溝にカバー１４が配置され、カバー１４の一端は回転軸を介して上側ハウジング本体１２に接続され、他端には弾性ボタンが配置され、カバーの開閉に便利であり、設計上、閉じた後、前記上側ハウジング本体１２に合わせて外観が一体になるように見える。カバー１４にはさらに歯を有する細長口１５が設置され、ごみ袋を溝体に入れ、カバー１４を閉じ、ごみ袋の一端をカバーの細長口１５から伸ばし、この細長口１５を介してごみ袋を引き出すことができる。
【００１６】
下側ハウジング２０はその一端に設置される下側ハンドル２１及び下側ハウジング本体２２から構成され、前記下側ハウジング本体２２は硬質フレームリング２３、軟質折りたたみ可能な収納溝２５及びごみ袋軟性固定クリップ２４を含む。前記硬質フレームリング２３は前記下側ハウジング本体２２のエッジ・フレームを構成し、前記収納溝２５は軟性材質であり、ＴＰＲ、シリコーンゴム等であってもよく、その開口エッジは二回射出成形により前記硬質フレームリング２３に接続され、収納溝２５は折りたたむことができ、使用時に、糞便の体積に応じて異なる収納空間を開き、使用しない時に、折りたたむことができ、体積及び製品放置空間を低減させ、携帯に便利であり、使用時に展開し、糞便を入れたごみ袋に対して支持・保護作用を果たし、ごみ袋が糞便の重量による自動的な脱落や意外な破損による糞便の漏れを避けることができる。収納溝２５の底部に半円ハンドル２７が設置され、折りたたむ時や開く時の押し引きに便利である。前記ごみ袋固定クリップ２４は下側ハンドル２１に設置され、図１に示すように、下側ハンドル２１において前記回転軸３０に近接する位置に嵌設され、軟性材質であり、糞取り器を清浄することが必要にならないように、一般的には、使用時に、ごみ袋全体を糞取り器に入れ、ごみ袋口部を前記ごみ袋固定クリップ２４に固定させる。このように使用すれば、糞便がごみ袋に直接入り、糞取り器が汚れることはない。
【００１７】
好ましくは、前記上側ハンドル１１にはさらに携帯用孔１６を開設すれば、外出時の手による携帯に便利である。
【００１８】
事実上、本考案は糞取り器として用いられることに限らず、ゴミ収納器として使用されてもよい。上下側ハウジング主体１２、２２を閉じた時に、内部の空間はゴミ収納溝として使用されてもよく、ある不都合の場合に、ペットのウンコや、ゴミ等を入れて一時的に放置し、都合が良くなると、ゴミ箱に捨てればよく、その間に、上下側ハウジングの保護により、ウンコやゴミ等は漏れることがなく、それとともに、軟質収納溝２５を折りたたむことができるため、その空間の大きさを自由に調節でき、異なる体積のウンコやゴミに適することができる。
【図１】
0003205354.tif 000003
【図２】
0003205354.tif 000004
【図３】
0003205354.tif 000005
【図４】
0003205354.tif 000006